(57)【要約】  本発明は、遅延撮影方法、装置、プログラム、及び記録媒体に関し、コンピュータ技術分野に属する。前記方法は、シャッタボタン及びシャッタボタンの周囲に位置する時間設定領域から構成されたシャッタ操作ウィジェットを少なくとも含む撮影インターフェイスを表示するステップと、時間設定領域に基づいて遅延時間を特定するステップと、遅延時間に基づいて撮影を行うステップとを含む。本発明によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。それにより、メニュー設定インターフェイスを利用する必要がなく、撮影インターフェイスを利用するだけで遅延撮影を実現できるため、遅延撮影を実現する方法がもっと簡単になり、効率がもっと高くなった。【選択図】図１
2016535543.tif 000002
【特許請求の範囲】
【請求項１】
シャッタボタン及び前記シャッタボタンの周囲に位置する時間設定領域から構成されたシャッタ操作ウィジェットを少なくとも含む撮影インターフェイスを表示するステップと、
時間設定領域に基づいて遅延時間を特定するステップと、
前記遅延時間に基づいて撮影を行うステップと
を含むことを特徴とする遅延撮影方法。
【請求項２】
前記時間設定領域は所定の数のサブ領域から構成され、各々のサブ領域はそれぞれ一つの遅延時間に対応され、
時間設定領域に基づいて遅延時間を特定するステップは、
時間設定領域内の選択されたサブ領域を検出するステップと、
選択されたサブ領域に基づいて遅延時間を特定するステップと
を含むことを特徴とする請求項１に記載の遅延撮影方法。
【請求項３】
時間設定領域内の選択されたサブ領域を検出するステップの後に、
時間設定領域内の選択されたサブ領域と、選択されなかったサブ領域とを、区別して表示するステップ
をさらに含むことを特徴とする請求項２に記載の遅延撮影方法。
【請求項４】
前記撮影インターフェイスは、カメラアイコンをさらに含み、
時間設定領域に基づいて遅延時間を特定するステップの後に、
前記遅延時間の時間値を撮影インターフェイス上のカメラアイコンの下方に表示するステップ
をさらに含むことを特徴とする請求項１に記載の遅延撮影方法。
【請求項５】
遅延時間に基づいて撮影を行うステップは、
現在の時間を始点として遅延時間をカウントダウンして、カウントダウンが終了したタイミングに撮影を行うステップ
を含むことを特徴とする請求項１に記載の遅延撮影方法。
【請求項６】
現在の時間を始点として遅延時間をカウントダウンするステップは、
表示する遅延時間の時間値、及び時間設定領域内の選択されたサブ領域の範囲を、カウントダウンが終了するまで、次第に縮小させるステップ
を含むことを特徴とする請求項５に記載の遅延撮影方法。
【請求項７】
前記時間設定領域は、前記シャッタボタンの周囲を囲む環状の領域である
ことを特徴とする請求項１乃至６のいずれか一項に記載の遅延撮影方法。
【請求項８】
時間設定領域内の選択されたサブ領域を検出するステップは、
前記環状の領域に対する回転タッチ操作を検出するステップと、
前記環状の領域に対する回転タッチ操作が検出された場合、検出された回転タッチ操作に基づいて前記環状の領域内の選択されたサブ領域を特定するステップと
を含むことを特徴とする請求項７に記載の遅延撮影方法。
【請求項９】
シャッタボタン及び前記シャッタボタンの周囲に位置する時間設定領域から構成されたシャッタ操作ウィジェットを少なくとも含む撮影インターフェイスを表示するための第１表示モジュールと、
前記時間設定領域に基づいて遅延時間を特定するための特定モジュールと、
前記遅延時間に基づいて撮影を行うための撮影モジュールと
を備えることを特徴とする遅延撮影装置。
【請求項１０】
前記時間設定領域は所定の数のサブ領域から構成され、各々のサブ領域はそれぞれ一つの遅延時間に対応され、
前記特定モジュールは、
時間設定領域内の選択されたサブ領域を検出するための検出ユニットと、
選択されたサブ領域に基づいて遅延時間を特定するための特定ユニットと
を備えることを特徴とする請求項９に記載の遅延撮影装置。
【請求項１１】
時間設定領域内の選択されたサブ領域を区別して表示するための第２表示モジュール
をさらに備えることを特徴とする請求項１０に記載の遅延撮影装置。
【請求項１２】
前記撮影インターフェイスは、カメラアイコンをさらに含み、
前記遅延時間の時間値を撮影インターフェイス上のカメラアイコンの下方に表示するための第３表示モジュール
をさらに備えることを特徴とする請求項９に記載の遅延撮影装置。
【請求項１３】
前記撮影モジュールは、
現在の時間を始点として遅延時間をカウントダウンするためのカウントユニットと、
カウントダウンが終了したタイミングに撮影を行うための撮影ユニットと
を備えることを特徴とする請求項９に記載の遅延撮影装置。
【請求項１４】
前記カウントユニットは、表示する遅延時間の時間値、及び時間設定領域内の選択されたサブ領域の範囲を、カウントダウンが終了するまで、次第に縮小させる
ことを特徴とする請求項１３に記載の遅延撮影装置。
【請求項１５】
前記第１表示モジュールにより表示させた撮影インターフェイス上の前記時間設定領域は、前記シャッタボタンの周囲を囲む環状の領域である。
ことを特徴とする請求項９乃至１４のいずれか一項に記載の遅延撮影装置。
【請求項１６】
前記検出ユニットは、
前記環状の領域に対する回転タッチ操作を検出するための検出サブユニットと、
前記環状の領域に対する回転タッチ操作が検出された場合、検出された回転タッチ操作に基づいて前記環状の領域内の選択されたサブ領域を特定するための特定サブユニットと
を備えることを特徴とする請求項１５に記載の遅延撮影装置。
【発明の詳細な説明】
【技術分野】
【０００１】
本発明は、コンピュータ技術分野に関し、特に、遅延撮影方法、及び装置に関する。
【背景技術】
【０００２】
移動端末の普及と発展に伴い、スマートフォン、タブレットＰＣ等のような、撮影機能を有する様々な移動端末が、だんだん、人々の生活に入り込んでいる。同時に、ユーザの移動端末に対する要求もますます高くなっており、ユーザは、自分撮り、集合写真、等を行う場面での要求を満たすために、移動端末が遅延撮影できることを望んでいる。ユーザの需要を満たすことは、移動端末が生き残る前提である。このため、遅延撮影をどのように実現するのかが、その発展を限定するキーポイントとなっている。
【０００３】
関連技術にて、遅延撮影を行う時に、遅延ボタンが含まれたメニュー設定インターフェイスを提供して、メニュー設定インターフェイスにおける遅延ボタンが選択されたか否かを検出することにより、遅延ボタンが選択されたことが検出された場合には、遅延リスト項目を表示する。遅延リスト項目には、複数の時間オプションが含まれており、複数の時間オプション毎に互いに異なる遅延時間が対応されている。選択された時間オプションを検出して、選択された時間オプションに基づいて遅延撮影を行う。
発明者は、本発明を実現する過程において、関連技術には少なくとも以下の問題が存在することを発見した。
【０００４】
即ち、関連技術にて遅延撮影を行う時に、遅延時間ボタンが含まれたメニュー設定インターフェイスを利用して遅延撮影を行う必要があるため、関連技術での遅延撮影を実現する方法が比較的に煩雑で、効率が低い。
【発明の概要】
【０００５】
関連技術に存在する問題を解決するために、本発明は遅延撮影方法、及び装置を提供する。
【０００６】
本発明に係る実施例の第１の態様によると、遅延撮影方法を提供する。
【０００７】
前記方法は、
シャッタボタン及び前記シャッタボタンの周囲に位置する時間設定領域から構成されたシャッタ操作ウィジェットを少なくとも含む撮影インターフェイスを表示するステップと、
時間設定領域に基づいて遅延時間を特定するステップと、
前記遅延時間に基づいて撮影を行うステップと
を含む。
【０００８】
第１の態様を基に、第１の態様の実現可能な第１の方法において、
前記時間設定領域は所定の数のサブ領域から構成され、各々のサブ領域はそれぞれ一つの遅延時間に対応され、
時間設定領域に基づいて遅延時間を特定するステップは、
時間設定領域内の選択されたサブ領域を検出するステップと、
選択されたサブ領域に基づいて遅延時間を特定するステップと
を含む。
【０００９】
第１の態様の実現可能な第１の方法を基に、第１の態様の実現可能な第２の方法において、
時間設定領域内の選択されたサブ領域を検出するステップの後に、
時間設定領域内の選択されたサブ領域と、選択されなかったサブ領域とを、区別して表示するステップ
をさらに含む。
【００１０】
第１の態様を基に、第１の態様の実現可能な第３の方法において、
前記撮影インターフェイスは、カメラアイコンをさらに含み、
時間設定領域に基づいて遅延時間を特定するステップの後に、
前記遅延時間の時間値を撮影インターフェイス上のカメラアイコンの下方に表示するステップ
をさらに含む。
【００１１】
第１の態様を基に、第１の態様の実現可能な第４の方法において、
遅延時間に基づいて撮影を行うステップは、
現在の時間を始点として遅延時間をカウントダウンして、カウントダウンが終了したタイミングに撮影を行うステップ
を含む。
【００１２】
第１の態様の実現可能な第４の方法を基に、第１の態様の実現可能な第５の方法において、
現在の時間を始点として遅延時間をカウントダウンするステップは、
表示する遅延時間の時間値、及び時間設定領域内の選択されたサブ領域の範囲を、カウントダウンが終了するまで、次第に縮小させるステップ
を含む。
【００１３】
第１の態様乃至第１の態様の実現可能な第５の方法を基に、第１の態様の実現可能な第６の方法において、
前記時間設定領域は、前記シャッタボタンの周囲を囲む環状の領域である。
第１の態様の実現可能な第６の方法を基に、第１の態様の実現可能な第７の方法において、
時間設定領域内の選択されたサブ領域を検出するステップは、
前記環状の領域に対する回転タッチ操作を検出するステップと、
前記環状の領域に対する回転タッチ操作が検出された場合、検出された回転タッチ操作に基づいて前記環状の領域内の選択されたサブ領域を特定するステップと
を含む。
【００１４】
本発明に係る実施例の第２の態様によると、遅延撮影装置を提供する。
前記装置は、
シャッタボタン及び前記シャッタボタンの周囲に位置する時間設定領域から構成されたシャッタ操作ウィジェットを少なくとも含む撮影インターフェイスを表示するための第１表示モジュールと、
前記時間設定領域に基づいて遅延時間を特定するための特定モジュールと、
前記遅延時間に基づいて撮影を行うための撮影モジュールと
を備える。
【００１５】
第２の態様を基に、第２の態様の実現可能な第１の方法において、
前記時間設定領域は所定の数のサブ領域から構成され、各々のサブ領域はそれぞれ一つの遅延時間に対応され、
前記特定モジュールは、
時間設定領域内の選択されたサブ領域を検出するための検出ユニットと、
選択されたサブ領域に基づいて遅延時間を特定するための特定ユニットと
を備える。
【００１６】
第２の態様の実現可能な第１の方法を基に、第２の態様の実現可能な第２の方法において、
前記装置は、
時間設定領域内の選択されたサブ領域を区別して表示するための第２表示モジュール
をさらに備える。
【００１７】
第２の態様を基に、第２の態様の実現可能な第３の方法において、
前記撮影インターフェイスは、カメラアイコンをさらに含み、
前記装置は、
前記遅延時間の時間値を撮影インターフェイス上のカメラアイコンの下方に表示するための第３表示モジュール
をさらに備える。
【００１８】
第２の態様を基に、第２の態様の実現可能な第４の方法において、
前記撮影モジュールは、
現在の時間を始点として遅延時間をカウントダウンするためのカウントユニットと、
カウントダウンが終了したタイミングに撮影を行うための撮影ユニットと
を備える。
【００１９】
第２の態様の実現可能な第４の方法を基に、第２の態様の実現可能な第５の方法において、
前記カウントユニットは、表示する遅延時間の時間値、及び時間設定領域内の選択されたサブ領域の範囲を、カウントダウンが終了するまで、次第に縮小させる。
【００２０】
第２の態様乃至第２の態様の実現可能な第５の方法を基に、第２の態様の実現可能な第６の方法において、
前記第１表示モジュールにより表示させた撮影インターフェイス上の前記時間設定領域は、前記シャッタボタンの周囲を囲む環状の領域である。
【００２１】
第２の態様の実現可能な第６の方法を基に、第２の態様の実現可能な第７の方法において、
前記検出ユニットは、
前記環状の領域に対する回転タッチ操作を検出するための検出サブユニットと、
前記環状の領域に対する回転タッチ操作が検出された場合、検出された回転タッチ操作に基づいて前記環状の領域内の選択されたサブ領域を特定するための特定サブユニットと
を備える。
【００２２】
本発明の実施例により提供する技術手段の有益な効果は、以下のとおりである。
【００２３】
シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００２４】
以上の統括な記述と以下の詳細な記述は、例示的なものに過ぎず、本発明を限定するものではないと理解するべきである。
【図面の簡単な説明】
【００２５】
ここでの図面は、明細書と共に本明細書の一部を構成して本発明に合致する実施例を示し、明細書とともに本発明の原理を説明するのに用いられる。
【００２６】
【図１】例示的な一実施例に係る遅延撮影方法を示すフローチャートである。
【図２】例示的な一実施例に係る遅延撮影方法を示すフローチャートである。
【図３】例示的な一実施例に係る撮影インターフェイスを示す模式図である。
【図４】例示的な一実施例に係る撮影インターフェイスを示す模式図である。
【図５】例示的な一実施例に係る撮影インターフェイスを示す模式図である。
【図６】例示的な一実施例に係る撮影インターフェイスを示す模式図である。
【図７】例示的な一実施例に係る遅延撮影装置を示す模式図である。
【図８】例示的な一実施例に係る遅延撮影装置を示すブロック図である。
【発明を実施するための形態】
【００２７】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２８】
本発明に係る実施例は、ユーザの自分撮り、集合写真、等を行う場面における遅延撮影の需要を満たすために、遅延撮影方法を提供する。当該遅延撮影方法は、撮影機能を有する端末に利用される。当該端末は、携帯電話、カメラ、等を含むが、これらに限定されない。本実施例は、端末の具体的な製品の形式を限定しない。図１に示されたように、本発明に係る実施例によって提供する遅延撮影方法は、以下のステップを含む。
【００２９】
ステップ１０１において、シャッタボタン及びシャッタボタンの周囲に位置する時間設定領域から構成されたシャッタ操作ウィジェットを少なくとも含む撮影インターフェイスを表示する。
【００３０】
ステップ１０２において、時間設定領域に基づいて、遅延時間を特定する。
【００３１】
一実施例において、時間設定領域は、所定の数のサブ領域から構成され、各々のサブ領域は、それぞれ一つの遅延時間に対応される。
【００３２】
時間設定領域に基づいて、遅延時間を特定するステップは、
時間設定領域内の選択されたサブ領域を検出するステップと、
選択されたサブ領域に基づいて遅延時間を特定するステップとを含む。
【００３３】
一実施例において、時間設定領域内の選択されたサブ領域を検出した後に、
時間設定領域内の選択されたサブ領域と、選択されなかったサブ領域とを、区別して表示するステップをさらに含む。
【００３４】
一実施例において、撮影インターフェイスは、カメラアイコンをさらに含み、
時間設定領域に基づいて遅延時間を特定するステップの後に、
遅延時間の時間値を撮影インターフェイス上のカメラアイコンの下方に表示するステップをさらに含む。
【００３５】
ステップ１０３において、遅延時間に基づいて撮影を行う。
【００３６】
一実施例において、遅延時間に基づいて撮影を行うステップは、
現在の時間を始点として遅延時間をカウントダウンして、カウントダウンが終了したタイミングに撮影を行うステップを含む。
【００３７】
一実施例において、現在の時間を始点として遅延時間をカウントダウンするステップは、
表示する遅延時間の時間値、及び時間設定領域内の選択されたサブ領域の範囲を、カウントダウンが終了するまで、次第に縮小させるステップを含む。
【００３８】
一実施例において、時間設定領域は、シャッタボタンの周囲を囲む環状の領域である。
【００３９】
一実施例において、時間設定領域内の選択されたサブ領域を検出するステップは、
環状の領域に対する回転タッチ操作を検出するステップと、
環状の領域に対する回転タッチ操作が検出された場合、検出された回転タッチ操作に基づいて環状の領域内の選択されたサブ領域を特定するステップとを含む。
【００４０】
本発明に係る実施例によって提供する方法によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００４１】
図２は、例示的な一実施例に係る遅延撮影方法を示すフローチャートである。図２に示されたように、当該遅延撮影方法は端末に利用される。当該方法は、以下のステップを含む。
【００４２】
ステップ２０１において、シャッタボタン及びシャッタボタンの周囲に位置する時間設定領域から構成されたシャッタ操作ウィジェットを少なくとも含む撮影インターフェイスを表示する。
【００４３】
ここで、撮影インターフェイスは、撮影機能を有する端末が、撮影モードにおいて表示スクリーン上に表示させるインターフェイスである。撮影機能を有する端末は、スマートフォン、タブレットＰＣ、カメラ等であってもよく、本実施例は、撮影機能を有する端末を具体的に限定しない。
【００４４】
本実施例において、撮影インターフェイスを表示する方法に対して、具体的に限定しない。具体的に実施する時に、端末中のカメラがオンになったか否かを検出することにより、端末中のカメラがオンになったことが検出された後に、端末を撮影モードに切り替えて、撮影インターフェイスを表示してもよい。
【００４５】
撮影インターフェイス上に表示する内容は、シャッタ操作ウィジェット、撮影機能を有する端末がカメラを用いて撮影した画像等を含むが、これらに限定されない。本実施例は、撮影インターフェイス上に表示する内容に対して、具体的に限定しない。ここで、シャッタ操作ウィジェットは、シャッタボタン、及びシャッタボタンの周囲の時間設定領域から構成されるが、これらに限定されない。
【００４６】
本実施例は、シャッタボタンが位置する領域と、シャッタボタンの周囲の時間設定領域とが、シャッタ操作ウィジェットが位置する領域において占有する比に対して、具体的に限定しない。具体的に実施する時に、シャッタボタンが位置する領域がシャッタ操作ウィジェットが位置する領域において占有する比を５０％と設定し、シャッタボタンの周囲の時間設定領域がシャッタ操作ウィジェットが位置する領域において占有する比を５０％と設定してもよいし、シャッタボタンが位置する領域がシャッタ操作ウィジェットが位置する領域において占有する比例を６０％と設定し、シャッタボタンの周囲の時間設定領域がシャッタ操作ウィジェットが位置する領域において占有する比例を４０％と設定してもよい。
【００４７】
具体的に、シャッタボタンは、撮影機能を有し、写真を撮るためのものである。シャッタボタンを撮影インターフェイス上に表示する形式は、アイコンの形式、メニューの形式、等を含むが、これらに限定されない。
【００４８】
本実施例は、シャッタボタンを撮影インターフェイス上に表示する形式に対して、具体的に限定しない。時間設定領域は、遅延撮影の遅延時間を設定するものである。時間設定領域は、シャッタボタンの周囲を囲む環状の領域であってもよいが、これらに限定されない。時間設定領域は、所定の数のサブ領域から構成され、且つ、各々のサブ領域は、それぞれ一つの遅延時間に対応される。所定の数は、５個、６個、１０個等であってもよい。本実施例は、所定の数にたいして、具体的に限定しない。
【００４９】
ここで、時間設定領域を構成する各々のサブ領域の大きさは、同一であってもよいし、互いに異なってもよい。本実施例は、時間設定領域を構成する各々のサブ領域の大きさに対して、具体的に限定しない。本実施例においては、ユーザが時間設定領域のサブ領域に基づいて遅延撮影の遅延時間を便利に設定するようにするために、時間設定領域を構成する各領域を同一の大きさに設定してもよい。この時、各々のサブ領域に対応する遅延時間は同一である。
【００５０】
以下、本ステップ中の前記の撮影インターフェイスを直観的に示すために、図３を例として詳しく説明する。図３に示された撮影インターフェイスの模式図を参照すると、１はシャッタ操作ウィジェットである、２はシャッタボタンであり、３はシャッタボタンの周囲の時間設定領域である。図３から分かるように、時間設定領域は、５個のサブ領域から構成される。
【００５１】
ステップ２０２において、時間設定領域内の選択されたサブ領域を検出する。
【００５２】
本実施例においての時間設定領域は、環状の領域であり、所定の数のサブ領域から構成される。各々のサブ領域は、回転タッチ操作されるためのものである。いずれか一つのサブ領域が回転タッチされた後、当該サブ領域は選択されることになる。このため、時間設定領域内の選択されたサブ領域を検出する方法は、以下の方法を含むが、これらに限定されない。
【００５３】
まず、環状の領域に対する回転タッチ操作を検出する。
【００５４】
次に、環状の領域に対する回転タッチ操作が検出された場合、検出された回転タッチ操作に基づいて環状の領域内の選択されたサブ領域を特定する。
【００５５】
回転タッチ操作の特徴によって、回転タッチ操作によって選択された領域は連続的な領域になる。このため、遅延撮影を行う度に検出された時間設定領域内の選択されたサブ領域は、連続的なサブ領域になる。ただ、遅延撮影を行う度に検出される選択されたサブ領域の数が互いに異なることになる。
【００５６】
一実施例において、選択されたサブ領域を直観的に表示するために、本実施例によって提供する方法は、さらに、時間設定領域内の選択されたサブ領域と選択されなかったサブ領域とを区別して表示することにより、ユーザに時間設定領域内の選択されたサブ領域と選択されなかったサブ領域とを区分するようにする。具体的な区別表示方法は、互いに異なる色で区別表示する方法を含むが、これらに限定されない。例えば、時間設定領域内の選択されたサブ領域と選択されなかったサブ領域とを互いに異なる色で区別表示する時に、時間設定領域内の選択されたサブ領域を緑で表示し、選択されなかったサブ領域表示を赤で表示する。当然ながら、時間設定領域内の選択されたサブ領域を黒で表示し、選択されなかったサブ領域を白で表示してもよい。本実施例は、時間設定領域内の選択されたサブ領域と選択されなかったサブ領域とを表示する色に対して、具体的に限定しない。
【００５７】
互いに異なる色で区別表示した時間設定領域内の選択されたサブ領域と選択されなかったサブ領域とをもっと直観的に示すために、以下、図４を例として説明する。
【００５８】
図４は撮影インターフェイスを示す模式図である。１はシャッタ操作ウィジェットであり、２はシャッタボタンであり、３はシャッタボタンの周囲の時間設定領域である。ここで、シャッタボタンの周囲の時間設定領域は、６個のサブ領域から構成される。６個のサブ領域は、それぞれ、サブ領域ａ、サブ領域ｂ、サブ領域ｃ、サブ領域ｄ、サブ領域ｅ、及びサブ領域ｆである。時間設定領域内の選択されたサブ領域を黒で表示し、選択されなかった領域を白で表示すると設定する。時間設定領域内のサブ領域ａ、サブ領域ｂ、及びサブ領域ｃが選択されたことが検出された場合、時間設定領域内のサブ領域ａ、サブ領域ｂ、及びサブ領域ｃを黒に表示し、時間設定領域内のサブ領域ｄ、サブ領域ｅ、及びサブ領域ｆを白に表示する。
【００５９】
ステップ２０３において、選択されたサブ領域に基づいて遅延時間を特定する。
【００６０】
各々のサブ領域はそれぞれ一つの遅延時間に対応されるため、選択されたサブ領域が検出された後、選択されたサブ領域に基づいて遅延撮影の遅延時間を特定できる。例えば、時間設定領域の各々のサブ領域に対応される遅延時間を２ｓに設定すると、時間設定領域内の選択されたサブ領域が３個であることが検出された場合、遅延撮影の遅延時間を６ｓに特定できるし、時間設定領域内の選択されたサブ領域が５個であることが検出された場合、遅延撮影の遅延時間を１０ｓに特定できる。
【００６１】
一実施例において、ユーザに現在のモードを直観的に表示させるために、端末は、さらに、撮影モードを示すためのカメラアイコンを撮影インターフェイスに表示する。撮影インターフェイス上に表示するカメラアイコンの表示位置に対しては、本実施例では具体的に限定しない。具体的に実施する時に、カメラアイコンを撮影インターフェイスの左上角に表示してもよいし、カメラアイコンを撮影インターフェイスの右上角に表示してもよい。
【００６２】
上記の撮影インターフェイス上に表示するカメラアイコンに基づいて、ユーザに特定された遅延撮影の遅延時間を直観的に表示させるために、本実施例によって提供する方法は、時間設定領域に基づいて遅延時間を特定した後に、さらに、遅延時間の時間値を撮影インターフェイス上のカメラアイコンの下方に表示する。図５に示された撮影インターフェイスを例にすると、１はシャッタ操作ウィジェットであり、２はカメラアイコンである。図５から分かるように、カメラアイコン２は、撮影インターフェイスの右上角に表示される。選択されたサブ領域に基づいて特定される遅延時間が６ｓである場合、遅延時間の時間値である「６」をカメラアイコンの下方に表示する。具体的な表示結果は、図５に示したようである。
【００６３】
一実施例において、シャッタボタンは即時の撮影（通常の撮影）を実現するものであるが、本実施例において端末が実現する撮影は遅延撮影であるため、時間設定領域に基づいて、選択されたサブ領域遅延時間を特定した後、端末は、選択された操作のトリガによって、シャッタ操作ウィジェットに構成されたシャッタボタンをカウントダウンシャッタボタンに変換する。ここで、カウントダウンシャッタボタンは、遅延が終了した後に撮影を実現するためのものである。図６に示された撮影インターフェイスを例にすると、１はシャッタ操作ウィジェットであり、２はシャッタボタンであり、３は時間設定領域であり、４はカメラアイコンである。撮影インターフェイス上の時間設定領域内のサブ領域が選択されたことが検出されると、ユーザが遅延撮影を望むことを示している。この時、端末は、操作ウィジェット中のラベルボタンをカウントダウンシャッタボタンに変換させて、端末に遅延撮影を実現するようにする。
【００６４】
ステップ２０４において、遅延時間に基づいて撮影を行う。
【００６５】
遅延時間に基づいて撮影を行う方法は、現在の時間を始点として遅延時間をカウントダウンして、カウントダウンが終了したタイミングに撮影を行う方法を含むが、これらに限定されない。具体的に、選択されたサブ領域に基づいて特定された遅延時間が１０ｓである場合、現在の時間を始点として遅延時間をカウントダウンして、遅延時間が１０ｓからカウントダウンされて０ｓになった際に撮影を行う。選択されたサブ領域に基づいて特定された遅延時間が７ｓである場合には、現在の時間を始点として遅延時間をカウントダウンして、遅延時間が７ｓからカウントダウンされて０ｓになった際に撮影を行う。
【００６６】
現在の時間を始点として遅延時間をカウントダウンする方法は、以下の方法を含むが、これらに限定されない。
【００６７】
表示する遅延時間の時間値、及び時間設定領域内の選択されたサブ領域の範囲を、カウントダウンが終了するまで、次第に縮小させる。具体的に、撮影インターフェイス上に表示されている遅延時間の時間値、及び時間設定領域内の選択されたサブ領域は、遅延撮影の遅延時間を示し、遅延時間のカウントダウンによって遅延時間が次第に減少されるため、ユーザに現在の撮影の遅延時間を表示するためには、表示する遅延時間の時間値、及び時間設定領域内の選択されたサブ領域の範囲を、カウントダウンが終了するまで、次第に縮小させる必要がある。例えば、特定された遅延時間が４ｓであり、時間設定領域内の選択されたサブ領域が２個である場合、遅延時間を２ｓまでカウントダウンしたタイミングに、カメラアイコンの下方に表示する遅延時間の時間値は「２」に変換され、時間設定領域内の選択されたサブ領域は１個に縮小される。
【００６８】
本発明に係る実施例によって提供する方法によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００６９】
図７は、例示的な一実施例に係る遅延撮影装置を示す模式図である。当該装置は、上記の図１及び図２に示した実施例中のいずれか一つの実施例に記述された遅延撮影方法を実現するためのものである。図７を参照すると、当該装置は、第１表示モジュール７０１、特定モジュール７０２、及び撮影モジュール７０３を備える。
【００７０】
当該第１表示モジュール７０１は、シャッタボタン及びシャッタボタンの周囲に位置する時間設定領域から構成されたシャッタ操作ウィジェットを少なくとも含む撮影インターフェイスを表示する。
【００７１】
当該特定モジュール７０２は、時間設定領域に基づいて、遅延時間を特定する。
【００７２】
当該撮影モジュール７０３は、遅延時間に基づいて撮影を行う。
【００７３】
一実施例において、時間設定領域は、所定の数のサブ領域から構成され、各々のサブ領域はそれぞれ一つの遅延時間に対応される。
【００７４】
特定モジュール７０２は、検出ユニット、及び特定ユニットを備える。
当該検出ユニットは、時間設定領域内の選択されたサブ領域を検出する。
当該特定ユニットは、選択されたサブ領域に基づいて遅延時間を特定する。
【００７５】
一実施例において、当該装置は、第２表示モジュールをさらに備える。
当該第２表示モジュールは、時間設定領域内の選択されたサブ領域と、選択されなかったサブ領域とを、区別して表示する。
【００７６】
一実施例において、撮影インターフェイスは、カメラアイコンをさらに含む。
【００７７】
当該装置は、第３表示モジュールをさらに備える。
当該第３表示モジュールは、遅延時間の時間値を撮影インターフェイス上のカメラアイコンの下方に表示する。
【００７８】
一実施例において、撮影モジュール７０３は、カウントユニット、及び撮影ユニットを備える。
当該カウントユニットは、現在の時間を始点として遅延時間をカウントダウンする。
当該撮影ユニットは、カウントダウンが終了したタイミングに撮影を行う。
【００７９】
一実施例において、カウントユニットは、表示する遅延時間の時間値、及び時間設定領域内の選択されたサブ領域の範囲を、カウントダウンが終了するまで、次第に縮小させる。
【００８０】
一実施例において、第１表示モジュールにより表示させた撮影インターフェイス上の時間設定領域は、シャッタボタンの周囲を囲む環状の領域である。
【００８１】
一実施例において、検出ユニットは、検出サブユニット、及び特定サブユニットを備える。
当該検出サブユニットは、環状の領域に対する回転タッチ操作を検出する。
当該特定サブユニットは、環状の領域に対する回転タッチ操作が検出された場合、検出された回転タッチ操作に基づいて環状の領域内の選択されたサブ領域を特定する。
【００８２】
本発明に係る実施例によって提供する装置によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００８３】
上記の実施例中の装置について、各モジュールにより操作を実行する具体的な方法に対しては既に関連する方法の実施例において詳しく説明したため、ここでは詳しい説明は省略する。
【００８４】
図８は、例示的な一実施例に係る遅延撮影装置８００を示すブロック図である。例えば、装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００８５】
図８を参照して、装置８００は、プロセスアセンブリ８０２、メモリ８０４、電源アセンブリ８０６、マルチメディアアセンブリ８０８、オーディオアセンブリ８１０、入出力（Ｉ／ O）インターフェイス８１２、センサアセンブリ８１４、及び通信アセンブリ８１６のような一つ以上のアセンブリを含んでよい。
【００８６】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００８７】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、任意の種類の揮発性又は不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００８８】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００８９】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ、及び／又はリアカメラを含む。装置８００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【００９０】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００９１】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９２】
センサアセンブリ８１４は、装置８００の様々な方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ撮像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９３】
通信アセンブリ８１６は、装置８００と他の機器との間において有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【００９４】
例示的な実施例において、装置８００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９５】
例示的な実施例において、さらに、命令を含むコンピュータ読取り可能な非一時的な記録媒体、例えば命令を含むメモリ８０４を提供しており、装置８００のプロセッサ８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【００９６】
コンピュータ読取り可能な非一時的な記録媒体は、当該記録媒体中の命令が移動端末のプロセッサによって実行される際に、移動端末に遅延撮影方法を実行させることができる。
【００９７】
前記方法は、
シャッタボタン及びシャッタボタンの周囲に位置する時間設定領域から構成されたシャッタ操作ウィジェットを少なくとも含む撮影インターフェイスを表示するステップと、
時間設定領域に基づいて、遅延時間を特定するステップと、
遅延時間に基づいて撮影を行うステップと、
を含む。
【００９８】
一実施例において、時間設定領域は、所定の数のサブ領域から構成され、各々のサブ領域はそれぞれ一つの遅延時間に対応され、
時間設定領域に基づいて、遅延時間を特定するステップは、
時間設定領域内の選択されたサブ領域を検出するステップと、
選択されたサブ領域に基づいて遅延時間を特定するステップと
を含む。
【００９９】
一実施例において、時間設定領域内の選択されたサブ領域を検出した後に、
時間設定領域内の選択されたサブ領域と、選択されなかったサブ領域とを、区別して表示するステップ
をさらに含む。
【０１００】
一実施例において、撮影インターフェイスは、カメラアイコンをさらに含み、
時間設定領域に基づいて遅延時間を特定するステップの後に、
遅延時間の時間値を撮影インターフェイス上のカメラアイコンの下方に表示するステップ
をさらに含む。
【０１０１】
一実施例において、遅延時間に基づいて撮影を行うステップは、
現在の時間を始点として遅延時間をカウントダウンして、カウントダウンが終了したタイミングに撮影を行うステップ
を含む。
【０１０２】
一実施例において、現在の時間を始点として遅延時間をカウントダウンするステップは、
表示する遅延時間の時間値、及び時間設定領域内の選択されたサブ領域の範囲を、カウントダウンが終了するまで、次第に縮小させるステップ
を含む。
【０１０３】
一実施例において、前記時間設定領域は、前記シャッタボタンの周囲を囲む環状の領域である。
一実施例において、時間設定領域内の選択されたサブ領域を検出するステップは、
環状の領域に対する回転タッチ操作を検出するステップと、
環状の領域に対する回転タッチ操作が検出された場合、検出された回転タッチ操作に基づいて環状の領域内の選択されたサブ領域を特定するステップと
を含む。
【０１０４】
本発明によって提供するコンピュータ読取り可能な非一時的な記録媒体によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【０１０５】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１０６】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【０１０７】
本願は、出願番号が２０１４１０４００８１１.０であって、出願日が２０１４年８月１４日である中国特許出願に基づいて優先権を主張し、当該中国特許出願のすべての内容を援用する。
【図１】
2016535543.tif 000003
【図２】
2016535543.tif 000004
【図３】
2016535543.tif 000005
【図４】
2016535543.tif 000006
【図５】
2016535543.tif 000007
【図６】
2016535543.tif 000008
【図７】
2016535543.tif 000009
【図８】
2016535543.tif 000010
【手続補正書】
【提出日】平成27年3月18日(2015.3.18)
【手続補正１】
【補正対象書類名】特許請求の範囲
【補正対象項目名】全文
【補正方法】変更
【補正の内容】
【特許請求の範囲】
【請求項１】
シャッタボタン及び前記シャッタボタンの周囲に位置する時間設定領域から構成されたシャッタ操作ウィジェットを少なくとも含む撮影インターフェイスを表示するステップと、
時間設定領域に基づいて遅延時間を特定するステップと、
前記遅延時間に基づいて撮影を行うステップと
を含むことを特徴とする遅延撮影方法。
【請求項２】
前記時間設定領域は所定の数のサブ領域から構成され、各々のサブ領域はそれぞれ一つの遅延時間に対応され、
時間設定領域に基づいて遅延時間を特定するステップは、
時間設定領域内の選択されたサブ領域を検出するステップと、
選択されたサブ領域に基づいて遅延時間を特定するステップと
を含むことを特徴とする請求項１に記載の遅延撮影方法。
【請求項３】
時間設定領域内の選択されたサブ領域を検出するステップの後に、
時間設定領域内の選択されたサブ領域と、選択されなかったサブ領域とを、区別して表示するステップ
をさらに含むことを特徴とする請求項２に記載の遅延撮影方法。
【請求項４】
前記撮影インターフェイスは、カメラアイコンをさらに含み、
時間設定領域に基づいて遅延時間を特定するステップの後に、
前記遅延時間の時間値を撮影インターフェイス上のカメラアイコンの下方に表示するステップ
をさらに含むことを特徴とする請求項１に記載の遅延撮影方法。
【請求項５】
遅延時間に基づいて撮影を行うステップは、
現在の時間を始点として遅延時間をカウントダウンして、カウントダウンが終了したタイミングに撮影を行うステップ
を含むことを特徴とする請求項１に記載の遅延撮影方法。
【請求項６】
現在の時間を始点として遅延時間をカウントダウンするステップは、
表示する遅延時間の時間値、及び時間設定領域内の選択されたサブ領域の範囲を、カウントダウンが終了するまで、次第に縮小させるステップ
を含むことを特徴とする請求項５に記載の遅延撮影方法。
【請求項７】
前記時間設定領域は、前記シャッタボタンの周囲を囲む環状の領域である
ことを特徴とする請求項１乃至６のいずれか一項に記載の遅延撮影方法。
【請求項８】
時間設定領域内の選択されたサブ領域を検出するステップは、
前記環状の領域に対する回転タッチ操作を検出するステップと、
前記環状の領域に対する回転タッチ操作が検出された場合、検出された回転タッチ操作に基づいて前記環状の領域内の選択されたサブ領域を特定するステップと
を含むことを特徴とする請求項７に記載の遅延撮影方法。
【請求項９】
シャッタボタン及び前記シャッタボタンの周囲に位置する時間設定領域から構成されたシャッタ操作ウィジェットを少なくとも含む撮影インターフェイスを表示するための第１表示モジュールと、
前記時間設定領域に基づいて遅延時間を特定するための特定モジュールと、
前記遅延時間に基づいて撮影を行うための撮影モジュールと
を備えることを特徴とする遅延撮影装置。
【請求項１０】
前記時間設定領域は所定の数のサブ領域から構成され、各々のサブ領域はそれぞれ一つの遅延時間に対応され、
前記特定モジュールは、
時間設定領域内の選択されたサブ領域を検出するための検出ユニットと、
選択されたサブ領域に基づいて遅延時間を特定するための特定ユニットと
を備えることを特徴とする請求項９に記載の遅延撮影装置。
【請求項１１】
時間設定領域内の選択されたサブ領域を区別して表示するための第２表示モジュール
をさらに備えることを特徴とする請求項１０に記載の遅延撮影装置。
【請求項１２】
前記撮影インターフェイスは、カメラアイコンをさらに含み、
前記遅延時間の時間値を撮影インターフェイス上のカメラアイコンの下方に表示するための第３表示モジュール
をさらに備えることを特徴とする請求項９に記載の遅延撮影装置。
【請求項１３】
前記撮影モジュールは、
現在の時間を始点として遅延時間をカウントダウンするためのカウントユニットと、
カウントダウンが終了したタイミングに撮影を行うための撮影ユニットと
を備えることを特徴とする請求項９に記載の遅延撮影装置。
【請求項１４】
前記カウントユニットは、表示する遅延時間の時間値、及び時間設定領域内の選択されたサブ領域の範囲を、カウントダウンが終了するまで、次第に縮小させる
ことを特徴とする請求項１３に記載の遅延撮影装置。
【請求項１５】
前記第１表示モジュールにより表示させた撮影インターフェイス上の前記時間設定領域は、前記シャッタボタンの周囲を囲む環状の領域である。
ことを特徴とする請求項９乃至１４のいずれか一項に記載の遅延撮影装置。
【請求項１６】
前記第１表示モジュールにより表示させた撮影インターフェイス上の前記時間設定領域は、前記シャッタボタンの周囲を囲む環状の領域であって、
前記検出ユニットは、
前記環状の領域に対する回転タッチ操作を検出するための検出サブユニットと、
前記環状の領域に対する回転タッチ操作が検出された場合、検出された回転タッチ操作に基づいて前記環状の領域内の選択されたサブ領域を特定するための特定サブユニットと
を備えることを特徴とする請求項１０に記載の遅延撮影装置。
【請求項１７】
プロセッサに実行されることにより、請求項１から請求項８のいずれかに記載の遅延撮影方法を実現することを特徴とするプログラム。
【請求項１８】
請求項１７に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、コンピュータ技術分野に関し、特に、遅延撮影方法、装置、プログラム、及び記録媒体に関する。
【背景技術】
【０００２】
移動端末の普及と発展に伴い、スマートフォン、タブレットＰＣ等のような、撮影機能を有する様々な移動端末が、だんだん、人々の生活に入り込んでいる。同時に、ユーザの移動端末に対する要求もますます高くなっており、ユーザは、自分撮り、集合写真、等を行う場面での要求を満たすために、移動端末が遅延撮影できることを望んでいる。ユーザの需要を満たすことは、移動端末が生き残る前提である。このため、遅延撮影をどのように実現するのかが、その発展を限定するキーポイントとなっている。
【０００３】
関連技術にて、遅延撮影を行う時に、遅延ボタンが含まれたメニュー設定インターフェイスを提供して、メニュー設定インターフェイスにおける遅延ボタンが選択されたか否かを検出することにより、遅延ボタンが選択されたことが検出された場合には、遅延リスト項目を表示する。遅延リスト項目には、複数の時間オプションが含まれており、複数の時間オプション毎に互いに異なる遅延時間が対応されている。選択された時間オプションを検出して、選択された時間オプションに基づいて遅延撮影を行う。
発明者は、本発明を実現する過程において、関連技術には少なくとも以下の問題が存在することを発見した。
【０００４】
即ち、関連技術にて遅延撮影を行う時に、遅延時間ボタンが含まれたメニュー設定インターフェイスを利用して遅延撮影を行う必要があるため、関連技術での遅延撮影を実現する方法が比較的に煩雑で、効率が低い。
【発明の概要】
【０００５】
関連技術に存在する問題を解決するために、本発明は遅延撮影方法、装置、プログラム、及び記録媒体を提供する。
【０００６】
本発明に係る実施例の第１の態様によると、遅延撮影方法を提供する。
【０００７】
前記方法は、
シャッタボタン及び前記シャッタボタンの周囲に位置する時間設定領域から構成されたシャッタ操作ウィジェットを少なくとも含む撮影インターフェイスを表示するステップと、
時間設定領域に基づいて遅延時間を特定するステップと、
前記遅延時間に基づいて撮影を行うステップと
を含む。
【０００８】
第１の態様を基に、第１の態様の実現可能な第１の方法において、
前記時間設定領域は所定の数のサブ領域から構成され、各々のサブ領域はそれぞれ一つの遅延時間に対応され、
時間設定領域に基づいて遅延時間を特定するステップは、
時間設定領域内の選択されたサブ領域を検出するステップと、
選択されたサブ領域に基づいて遅延時間を特定するステップと
を含む。
【０００９】
第１の態様の実現可能な第１の方法を基に、第１の態様の実現可能な第２の方法において、
時間設定領域内の選択されたサブ領域を検出するステップの後に、
時間設定領域内の選択されたサブ領域と、選択されなかったサブ領域とを、区別して表示するステップ
をさらに含む。
【００１０】
第１の態様を基に、第１の態様の実現可能な第３の方法において、
前記撮影インターフェイスは、カメラアイコンをさらに含み、
時間設定領域に基づいて遅延時間を特定するステップの後に、
前記遅延時間の時間値を撮影インターフェイス上のカメラアイコンの下方に表示するステップ
をさらに含む。
【００１１】
第１の態様を基に、第１の態様の実現可能な第４の方法において、
遅延時間に基づいて撮影を行うステップは、
現在の時間を始点として遅延時間をカウントダウンして、カウントダウンが終了したタイミングに撮影を行うステップ
を含む。
【００１２】
第１の態様の実現可能な第４の方法を基に、第１の態様の実現可能な第５の方法において、
現在の時間を始点として遅延時間をカウントダウンするステップは、
表示する遅延時間の時間値、及び時間設定領域内の選択されたサブ領域の範囲を、カウントダウンが終了するまで、次第に縮小させるステップ
を含む。
【００１３】
第１の態様乃至第１の態様の実現可能な第５の方法を基に、第１の態様の実現可能な第６の方法において、
前記時間設定領域は、前記シャッタボタンの周囲を囲む環状の領域である。
第１の態様の実現可能な第６の方法を基に、第１の態様の実現可能な第７の方法において、
時間設定領域内の選択されたサブ領域を検出するステップは、
前記環状の領域に対する回転タッチ操作を検出するステップと、
前記環状の領域に対する回転タッチ操作が検出された場合、検出された回転タッチ操作に基づいて前記環状の領域内の選択されたサブ領域を特定するステップと
を含む。
【００１４】
本発明に係る実施例の第２の態様によると、遅延撮影装置を提供する。
前記装置は、
シャッタボタン及び前記シャッタボタンの周囲に位置する時間設定領域から構成されたシャッタ操作ウィジェットを少なくとも含む撮影インターフェイスを表示するための第１表示モジュールと、
前記時間設定領域に基づいて遅延時間を特定するための特定モジュールと、
前記遅延時間に基づいて撮影を行うための撮影モジュールと
を備える。
【００１５】
第２の態様を基に、第２の態様の実現可能な第１の方法において、
前記時間設定領域は所定の数のサブ領域から構成され、各々のサブ領域はそれぞれ一つの遅延時間に対応され、
前記特定モジュールは、
時間設定領域内の選択されたサブ領域を検出するための検出ユニットと、
選択されたサブ領域に基づいて遅延時間を特定するための特定ユニットと
を備える。
【００１６】
第２の態様の実現可能な第１の方法を基に、第２の態様の実現可能な第２の方法において、
前記装置は、
時間設定領域内の選択されたサブ領域を区別して表示するための第２表示モジュール
をさらに備える。
【００１７】
第２の態様を基に、第２の態様の実現可能な第３の方法において、
前記撮影インターフェイスは、カメラアイコンをさらに含み、
前記装置は、
前記遅延時間の時間値を撮影インターフェイス上のカメラアイコンの下方に表示するための第３表示モジュール
をさらに備える。
【００１８】
第２の態様を基に、第２の態様の実現可能な第４の方法において、
前記撮影モジュールは、
現在の時間を始点として遅延時間をカウントダウンするためのカウントユニットと、
カウントダウンが終了したタイミングに撮影を行うための撮影ユニットと
を備える。
【００１９】
第２の態様の実現可能な第４の方法を基に、第２の態様の実現可能な第５の方法において、
前記カウントユニットは、表示する遅延時間の時間値、及び時間設定領域内の選択されたサブ領域の範囲を、カウントダウンが終了するまで、次第に縮小させる。
【００２０】
第２の態様乃至第２の態様の実現可能な第５の方法を基に、第２の態様の実現可能な第６の方法において、
前記第１表示モジュールにより表示させた撮影インターフェイス上の前記時間設定領域は、前記シャッタボタンの周囲を囲む環状の領域である。
【００２１】
第２の態様の実現可能な第６の方法を基に、第２の態様の実現可能な第７の方法において、
前記検出ユニットは、
前記環状の領域に対する回転タッチ操作を検出するための検出サブユニットと、
前記環状の領域に対する回転タッチ操作が検出された場合、検出された回転タッチ操作に基づいて前記環状の領域内の選択されたサブ領域を特定するための特定サブユニットと
を備える。
【００２２】
本発明の実施例に係る第３態様によると、プロセッサに実行されることにより、上記遅延撮影方法を実現するプログラムを提供する。
【００２３】
本発明の実施例に係る第４態様によると、上記プログラムが記録された記録媒体を提供する。
【００２４】
本発明の実施例により提供する技術手段の有益な効果は、以下のとおりである。
【００２５】
シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００２６】
以上の統括な記述と以下の詳細な記述は、例示的なものに過ぎず、本発明を限定するものではないと理解するべきである。
【図面の簡単な説明】
【００２７】
ここでの図面は、明細書と共に本明細書の一部を構成して本発明に合致する実施例を示し、明細書とともに本発明の原理を説明するのに用いられる。
【００２８】
【図１】例示的な一実施例に係る遅延撮影方法を示すフローチャートである。
【図２】例示的な一実施例に係る遅延撮影方法を示すフローチャートである。
【図３】例示的な一実施例に係る撮影インターフェイスを示す模式図である。
【図４】例示的な一実施例に係る撮影インターフェイスを示す模式図である。
【図５】例示的な一実施例に係る撮影インターフェイスを示す模式図である。
【図６】例示的な一実施例に係る撮影インターフェイスを示す模式図である。
【図７】例示的な一実施例に係る遅延撮影装置を示す模式図である。
【図８】例示的な一実施例に係る遅延撮影装置を示すブロック図である。
【発明を実施するための形態】
【００２９】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３０】
本発明に係る実施例は、ユーザの自分撮り、集合写真、等を行う場面における遅延撮影の需要を満たすために、遅延撮影方法を提供する。当該遅延撮影方法は、撮影機能を有する端末に利用される。当該端末は、携帯電話、カメラ、等を含むが、これらに限定されない。本実施例は、端末の具体的な製品の形式を限定しない。図１に示されたように、本発明に係る実施例によって提供する遅延撮影方法は、以下のステップを含む。
【００３１】
ステップ１０１において、シャッタボタン及びシャッタボタンの周囲に位置する時間設定領域から構成されたシャッタ操作ウィジェットを少なくとも含む撮影インターフェイスを表示する。
【００３２】
ステップ１０２において、時間設定領域に基づいて、遅延時間を特定する。
【００３３】
一実施例において、時間設定領域は、所定の数のサブ領域から構成され、各々のサブ領域は、それぞれ一つの遅延時間に対応される。
【００３４】
時間設定領域に基づいて、遅延時間を特定するステップは、
時間設定領域内の選択されたサブ領域を検出するステップと、
選択されたサブ領域に基づいて遅延時間を特定するステップとを含む。
【００３５】
一実施例において、時間設定領域内の選択されたサブ領域を検出した後に、
時間設定領域内の選択されたサブ領域と、選択されなかったサブ領域とを、区別して表示するステップをさらに含む。
【００３６】
一実施例において、撮影インターフェイスは、カメラアイコンをさらに含み、
時間設定領域に基づいて遅延時間を特定するステップの後に、
遅延時間の時間値を撮影インターフェイス上のカメラアイコンの下方に表示するステップをさらに含む。
【００３７】
ステップ１０３において、遅延時間に基づいて撮影を行う。
【００３８】
一実施例において、遅延時間に基づいて撮影を行うステップは、
現在の時間を始点として遅延時間をカウントダウンして、カウントダウンが終了したタイミングに撮影を行うステップを含む。
【００３９】
一実施例において、現在の時間を始点として遅延時間をカウントダウンするステップは、
表示する遅延時間の時間値、及び時間設定領域内の選択されたサブ領域の範囲を、カウントダウンが終了するまで、次第に縮小させるステップを含む。
【００４０】
一実施例において、時間設定領域は、シャッタボタンの周囲を囲む環状の領域である。
【００４１】
一実施例において、時間設定領域内の選択されたサブ領域を検出するステップは、
環状の領域に対する回転タッチ操作を検出するステップと、
環状の領域に対する回転タッチ操作が検出された場合、検出された回転タッチ操作に基づいて環状の領域内の選択されたサブ領域を特定するステップとを含む。
【００４２】
本発明に係る実施例によって提供する方法によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００４３】
図２は、例示的な一実施例に係る遅延撮影方法を示すフローチャートである。図２に示されたように、当該遅延撮影方法は端末に利用される。当該方法は、以下のステップを含む。
【００４４】
ステップ２０１において、シャッタボタン及びシャッタボタンの周囲に位置する時間設定領域から構成されたシャッタ操作ウィジェットを少なくとも含む撮影インターフェイスを表示する。
【００４５】
ここで、撮影インターフェイスは、撮影機能を有する端末が、撮影モードにおいて表示スクリーン上に表示させるインターフェイスである。撮影機能を有する端末は、スマートフォン、タブレットＰＣ、カメラ等であってもよく、本実施例は、撮影機能を有する端末を具体的に限定しない。
【００４６】
本実施例において、撮影インターフェイスを表示する方法に対して、具体的に限定しない。具体的に実施する時に、端末中のカメラがオンになったか否かを検出することにより、端末中のカメラがオンになったことが検出された後に、端末を撮影モードに切り替えて、撮影インターフェイスを表示してもよい。
【００４７】
撮影インターフェイス上に表示する内容は、シャッタ操作ウィジェット、撮影機能を有する端末がカメラを用いて撮影した画像等を含むが、これらに限定されない。本実施例は、撮影インターフェイス上に表示する内容に対して、具体的に限定しない。ここで、シャッタ操作ウィジェットは、シャッタボタン、及びシャッタボタンの周囲の時間設定領域から構成されるが、これらに限定されない。
【００４８】
本実施例は、シャッタボタンが位置する領域と、シャッタボタンの周囲の時間設定領域とが、シャッタ操作ウィジェットが位置する領域において占有する比に対して、具体的に限定しない。具体的に実施する時に、シャッタボタンが位置する領域がシャッタ操作ウィジェットが位置する領域において占有する比を５０％と設定し、シャッタボタンの周囲の時間設定領域がシャッタ操作ウィジェットが位置する領域において占有する比を５０％と設定してもよいし、シャッタボタンが位置する領域がシャッタ操作ウィジェットが位置する領域において占有する比例を６０％と設定し、シャッタボタンの周囲の時間設定領域がシャッタ操作ウィジェットが位置する領域において占有する比例を４０％と設定してもよい。
【００４９】
具体的に、シャッタボタンは、撮影機能を有し、写真を撮るためのものである。シャッタボタンを撮影インターフェイス上に表示する形式は、アイコンの形式、メニューの形式、等を含むが、これらに限定されない。
【００５０】
本実施例は、シャッタボタンを撮影インターフェイス上に表示する形式に対して、具体的に限定しない。時間設定領域は、遅延撮影の遅延時間を設定するものである。時間設定領域は、シャッタボタンの周囲を囲む環状の領域であってもよいが、これらに限定されない。時間設定領域は、所定の数のサブ領域から構成され、且つ、各々のサブ領域は、それぞれ一つの遅延時間に対応される。所定の数は、５個、６個、１０個等であってもよい。本実施例は、所定の数にたいして、具体的に限定しない。
【００５１】
ここで、時間設定領域を構成する各々のサブ領域の大きさは、同一であってもよいし、互いに異なってもよい。本実施例は、時間設定領域を構成する各々のサブ領域の大きさに対して、具体的に限定しない。本実施例においては、ユーザが時間設定領域のサブ領域に基づいて遅延撮影の遅延時間を便利に設定するようにするために、時間設定領域を構成する各領域を同一の大きさに設定してもよい。この時、各々のサブ領域に対応する遅延時間は同一である。
【００５２】
以下、本ステップ中の前記の撮影インターフェイスを直観的に示すために、図３を例として詳しく説明する。図３に示された撮影インターフェイスの模式図を参照すると、１はシャッタ操作ウィジェットである、２はシャッタボタンであり、３はシャッタボタンの周囲の時間設定領域である。図３から分かるように、時間設定領域は、５個のサブ領域から構成される。
【００５３】
ステップ２０２において、時間設定領域内の選択されたサブ領域を検出する。
【００５４】
本実施例においての時間設定領域は、環状の領域であり、所定の数のサブ領域から構成される。各々のサブ領域は、回転タッチ操作されるためのものである。いずれか一つのサブ領域が回転タッチされた後、当該サブ領域は選択されることになる。このため、時間設定領域内の選択されたサブ領域を検出する方法は、以下の方法を含むが、これらに限定されない。
【００５５】
まず、環状の領域に対する回転タッチ操作を検出する。
【００５６】
次に、環状の領域に対する回転タッチ操作が検出された場合、検出された回転タッチ操作に基づいて環状の領域内の選択されたサブ領域を特定する。
【００５７】
回転タッチ操作の特徴によって、回転タッチ操作によって選択された領域は連続的な領域になる。このため、遅延撮影を行う度に検出された時間設定領域内の選択されたサブ領域は、連続的なサブ領域になる。ただ、遅延撮影を行う度に検出される選択されたサブ領域の数が互いに異なることになる。
【００５８】
一実施例において、選択されたサブ領域を直観的に表示するために、本実施例によって提供する方法は、さらに、時間設定領域内の選択されたサブ領域と選択されなかったサブ領域とを区別して表示することにより、ユーザに時間設定領域内の選択されたサブ領域と選択されなかったサブ領域とを区分するようにする。具体的な区別表示方法は、互いに異なる色で区別表示する方法を含むが、これらに限定されない。例えば、時間設定領域内の選択されたサブ領域と選択されなかったサブ領域とを互いに異なる色で区別表示する時に、時間設定領域内の選択されたサブ領域を緑で表示し、選択されなかったサブ領域表示を赤で表示する。当然ながら、時間設定領域内の選択されたサブ領域を黒で表示し、選択されなかったサブ領域を白で表示してもよい。本実施例は、時間設定領域内の選択されたサブ領域と選択されなかったサブ領域とを表示する色に対して、具体的に限定しない。
【００５９】
互いに異なる色で区別表示した時間設定領域内の選択されたサブ領域と選択されなかったサブ領域とをもっと直観的に示すために、以下、図４を例として説明する。
【００６０】
図４は撮影インターフェイスを示す模式図である。１はシャッタ操作ウィジェットであり、２はシャッタボタンであり、３はシャッタボタンの周囲の時間設定領域である。ここで、シャッタボタンの周囲の時間設定領域は、６個のサブ領域から構成される。６個のサブ領域は、それぞれ、サブ領域ａ、サブ領域ｂ、サブ領域ｃ、サブ領域ｄ、サブ領域ｅ、及びサブ領域ｆである。時間設定領域内の選択されたサブ領域を黒で表示し、選択されなかった領域を白で表示すると設定する。時間設定領域内のサブ領域ａ、サブ領域ｂ、及びサブ領域ｃが選択されたことが検出された場合、時間設定領域内のサブ領域ａ、サブ領域ｂ、及びサブ領域ｃを黒に表示し、時間設定領域内のサブ領域ｄ、サブ領域ｅ、及びサブ領域ｆを白に表示する。
【００６１】
ステップ２０３において、選択されたサブ領域に基づいて遅延時間を特定する。
【００６２】
各々のサブ領域はそれぞれ一つの遅延時間に対応されるため、選択されたサブ領域が検出された後、選択されたサブ領域に基づいて遅延撮影の遅延時間を特定できる。例えば、時間設定領域の各々のサブ領域に対応される遅延時間を２ｓに設定すると、時間設定領域内の選択されたサブ領域が３個であることが検出された場合、遅延撮影の遅延時間を６ｓに特定できるし、時間設定領域内の選択されたサブ領域が５個であることが検出された場合、遅延撮影の遅延時間を１０ｓに特定できる。
【００６３】
一実施例において、ユーザに現在のモードを直観的に表示させるために、端末は、さらに、撮影モードを示すためのカメラアイコンを撮影インターフェイスに表示する。撮影インターフェイス上に表示するカメラアイコンの表示位置に対しては、本実施例では具体的に限定しない。具体的に実施する時に、カメラアイコンを撮影インターフェイスの左上角に表示してもよいし、カメラアイコンを撮影インターフェイスの右上角に表示してもよい。
【００６４】
上記の撮影インターフェイス上に表示するカメラアイコンに基づいて、ユーザに特定された遅延撮影の遅延時間を直観的に表示させるために、本実施例によって提供する方法は、時間設定領域に基づいて遅延時間を特定した後に、さらに、遅延時間の時間値を撮影インターフェイス上のカメラアイコンの下方に表示する。図５に示された撮影インターフェイスを例にすると、１はシャッタ操作ウィジェットであり、４はカメラアイコンである。図５から分かるように、カメラアイコン２は、撮影インターフェイスの右上角に表示される。選択されたサブ領域に基づいて特定される遅延時間が６ｓである場合、遅延時間の時間値である「６」をカメラアイコンの下方に表示する。具体的な表示結果は、図５に示したようである。
【００６５】
一実施例において、シャッタボタンは即時の撮影（通常の撮影）を実現するものであるが、本実施例において端末が実現する撮影は遅延撮影であるため、時間設定領域に基づいて、選択されたサブ領域遅延時間を特定した後、端末は、選択された操作のトリガによって、シャッタ操作ウィジェットに構成されたシャッタボタンをカウントダウンシャッタボタンに変換する。ここで、カウントダウンシャッタボタンは、遅延が終了した後に撮影を実現するためのものである。図６に示された撮影インターフェイスを例にすると、１はシャッタ操作ウィジェットであり、２はシャッタボタンであり、３は時間設定領域であり、４はカメラアイコンである。撮影インターフェイス上の時間設定領域内のサブ領域が選択されたことが検出されると、ユーザが遅延撮影を望むことを示している。この時、端末は、操作ウィジェット中のラベルボタンをカウントダウンシャッタボタンに変換させて、端末に遅延撮影を実現するようにする。
【００６６】
ステップ２０４において、遅延時間に基づいて撮影を行う。
【００６７】
遅延時間に基づいて撮影を行う方法は、現在の時間を始点として遅延時間をカウントダウンして、カウントダウンが終了したタイミングに撮影を行う方法を含むが、これらに限定されない。具体的に、選択されたサブ領域に基づいて特定された遅延時間が１０ｓである場合、現在の時間を始点として遅延時間をカウントダウンして、遅延時間が１０ｓからカウントダウンされて０ｓになった際に撮影を行う。選択されたサブ領域に基づいて特定された遅延時間が７ｓである場合には、現在の時間を始点として遅延時間をカウントダウンして、遅延時間が７ｓからカウントダウンされて０ｓになった際に撮影を行う。
【００６８】
現在の時間を始点として遅延時間をカウントダウンする方法は、以下の方法を含むが、これらに限定されない。
【００６９】
表示する遅延時間の時間値、及び時間設定領域内の選択されたサブ領域の範囲を、カウントダウンが終了するまで、次第に縮小させる。具体的に、撮影インターフェイス上に表示されている遅延時間の時間値、及び時間設定領域内の選択されたサブ領域は、遅延撮影の遅延時間を示し、遅延時間のカウントダウンによって遅延時間が次第に減少されるため、ユーザに現在の撮影の遅延時間を表示するためには、表示する遅延時間の時間値、及び時間設定領域内の選択されたサブ領域の範囲を、カウントダウンが終了するまで、次第に縮小させる必要がある。例えば、特定された遅延時間が４ｓであり、時間設定領域内の選択されたサブ領域が２個である場合、遅延時間を２ｓまでカウントダウンしたタイミングに、カメラアイコンの下方に表示する遅延時間の時間値は「２」に変換され、時間設定領域内の選択されたサブ領域は１個に縮小される。
【００７０】
本発明に係る実施例によって提供する方法によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００７１】
図７は、例示的な一実施例に係る遅延撮影装置を示す模式図である。当該装置は、上記の図１及び図２に示した実施例中のいずれか一つの実施例に記述された遅延撮影方法を実現するためのものである。図７を参照すると、当該装置は、第１表示モジュール７０１、特定モジュール７０２、及び撮影モジュール７０３を備える。
【００７２】
当該第１表示モジュール７０１は、シャッタボタン及びシャッタボタンの周囲に位置する時間設定領域から構成されたシャッタ操作ウィジェットを少なくとも含む撮影インターフェイスを表示する。
【００７３】
当該特定モジュール７０２は、時間設定領域に基づいて、遅延時間を特定する。
【００７４】
当該撮影モジュール７０３は、遅延時間に基づいて撮影を行う。
【００７５】
一実施例において、時間設定領域は、所定の数のサブ領域から構成され、各々のサブ領域はそれぞれ一つの遅延時間に対応される。
【００７６】
特定モジュール７０２は、検出ユニット、及び特定ユニットを備える。
当該検出ユニットは、時間設定領域内の選択されたサブ領域を検出する。
当該特定ユニットは、選択されたサブ領域に基づいて遅延時間を特定する。
【００７７】
一実施例において、当該装置は、第２表示モジュールをさらに備える。
当該第２表示モジュールは、時間設定領域内の選択されたサブ領域と、選択されなかったサブ領域とを、区別して表示する。
【００７８】
一実施例において、撮影インターフェイスは、カメラアイコンをさらに含む。
【００７９】
当該装置は、第３表示モジュールをさらに備える。
当該第３表示モジュールは、遅延時間の時間値を撮影インターフェイス上のカメラアイコンの下方に表示する。
【００８０】
一実施例において、撮影モジュール７０３は、カウントユニット、及び撮影ユニットを備える。
当該カウントユニットは、現在の時間を始点として遅延時間をカウントダウンする。
当該撮影ユニットは、カウントダウンが終了したタイミングに撮影を行う。
【００８１】
一実施例において、カウントユニットは、表示する遅延時間の時間値、及び時間設定領域内の選択されたサブ領域の範囲を、カウントダウンが終了するまで、次第に縮小させる。
【００８２】
一実施例において、第１表示モジュールにより表示させた撮影インターフェイス上の時間設定領域は、シャッタボタンの周囲を囲む環状の領域である。
【００８３】
一実施例において、検出ユニットは、検出サブユニット、及び特定サブユニットを備える。
当該検出サブユニットは、環状の領域に対する回転タッチ操作を検出する。
当該特定サブユニットは、環状の領域に対する回転タッチ操作が検出された場合、検出された回転タッチ操作に基づいて環状の領域内の選択されたサブ領域を特定する。
【００８４】
本発明に係る実施例によって提供する装置によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【００８５】
上記の実施例中の装置について、各モジュールにより操作を実行する具体的な方法に対しては既に関連する方法の実施例において詳しく説明したため、ここでは詳しい説明は省略する。
【００８６】
図８は、例示的な一実施例に係る遅延撮影装置８００を示すブロック図である。例えば、装置８００は、携帯電話、コンピューター、デジタル放送端末、メッセージ送受信デバイス、ゲームコンソール、タブレットデバイス、医療機器、フィットネス機器、パーソナルデジタルアシスタント等であってもよい。
【００８７】
図８を参照して、装置８００は、プロセスアセンブリ８０２、メモリ８０４、電源アセンブリ８０６、マルチメディアアセンブリ８０８、オーディオアセンブリ８１０、入出力（Ｉ／ O）インターフェイス８１２、センサアセンブリ８１４、及び通信アセンブリ８１６のような一つ以上のアセンブリを含んでよい。
【００８８】
プロセスアセンブリ８０２は、一般的には装置８００の全体の操作を制御するものであり、例えば、表示、電話呼び出し、データ通信、カメラ操作、及び記録操作と関連する操作を制御する。プロセスアセンブリ８０２は、一つ以上のプロセッサ８２０を含み、これらによって命令を実行することにより、上記の方法の全部、或は一部のステップを実現するようにしてもよい。なお、プロセスアセンブリ８０２は、一つ以上のモジュールを含み、これらによってプロセスアセンブリ８０２と他のアセンブリの間のインタラクションを容易にするようにしてもよい。例えば、プロセスアセンブリ８０２は、マルチメディアモジュールを含み、これらによってマルチメディアアセンブリ８０８とプロセスアセンブリ８０２の間のインタラクションを容易にするようにしてもよい。
【００８９】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、任意の種類の揮発性又は不揮発性メモリ記憶デバイス、または、それらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【００９０】
電源アセンブリ８０６は、装置８００の多様なアセンブリに電力を供給する。電源アセンブリ８０６は、電源管理システム、一つ以上の電源、及び装置８００のための電力の生成、管理及び割り当てに関連する他のアセンブリを含んでもよい。
【００９１】
マルチメディアアセンブリ８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ８０８は、一つのフロントカメラ及びリアカメラの何れかを含む。装置８００が、例えば撮影モード、或はビデオモード等の操作モードにある場合、フロントカメラ及びリアカメラの何れかは外部からマルチメディアデータを受信できる。フロントカメラとリアカメラのそれぞれは、一つの固定型の光レンズ系、或はフォーカス機能と光学ズーム機能を有するものであってもよい。
【００９２】
オーディオアセンブリ８１０は、オーディオ信号を入出力するように構成されてもよい。例えば、オーディオアセンブリ８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信アセンブリ８１６を介して送信されたりされる。上記の実施例において、オーディオアセンブリ８１０は、オーディオ信号を出力するための一つのスピーカーをさらに含む。
【００９３】
Ｉ／Ｏインターフェイス８１２は、プロセスアセンブリ８０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【００９４】
センサアセンブリ８１４は、装置８００の様々な方面の状態に対する評価を提供するための一つ以上のセンサを含む。例えば、センサアセンブリ８１４は、装置８００のＯＮ／ＯＦＦ状態、装置８００のディスプレイとキーパッドのようなアセンブリの相対的な位置決めを検出できる。また、例えば、センサアセンブリ８１４は、装置８００、或は装置８００の一つのアセンブリの位置変更、ユーザと装置８００とが接触しているか否か、装置８００の方位、又は加速／減速、装置８００の温度の変化を検出できる。センサアセンブリ８１４は、何れの物理的接触がない状態にて付近の物体の存在を検出するための近接センサを含んでもよい。センサアセンブリ８１４は、撮影アプリケーションに適用するため、ＣＭＯＳ、又はＣＣＤ撮像センサのような光センサを含んでもよい。上記の実施例において、当該センサアセンブリ８１４は、加速度センサ、ジャイロスコープセンサ、磁気センサ、圧力センサ、及び温度センサをさらに含んでもよい。
【００９５】
通信アセンブリ８１６は、装置８００と他の機器との間において有線、又は無線形態の通信を提供する。装置８００は、例えばＷｉＦｉ、２Ｇ、３Ｇ、或はこれらの組み合わせのような、通信規格に基づいた無線ネットワークに接続されてもよい。一つの例示的な実施例において、通信アセンブリ８１６は、放送チャンネルを介して外部の放送管理システムからの放送信号、又は放送に関連する情報を受信する。一つの例示的な実施例において、前記通信アセンブリ８１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ（登録商標））技術、他の技術に基づいて実現できる。
【００９６】
例示的な実施例において、装置８００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されるものであり、上記方法を実行する。
【００９７】
例示的な実施例において、さらに、命令を含むコンピュータ読取り可能な非一時的な記録媒体、例えば命令を含むメモリ８０４を提供しており、装置８００のプロセッサ８２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピー（登録商標）ディスク、光データ記憶デバイス等である。
【００９８】
コンピュータ読取り可能な非一時的な記録媒体は、当該記録媒体中の命令が移動端末のプロセッサによって実行される際に、移動端末に遅延撮影方法を実行させることができる。
【００９９】
前記方法は、
シャッタボタン及びシャッタボタンの周囲に位置する時間設定領域から構成されたシャッタ操作ウィジェットを少なくとも含む撮影インターフェイスを表示するステップと、
時間設定領域に基づいて、遅延時間を特定するステップと、
遅延時間に基づいて撮影を行うステップと、
を含む。
【０１００】
一実施例において、時間設定領域は、所定の数のサブ領域から構成され、各々のサブ領域はそれぞれ一つの遅延時間に対応され、
時間設定領域に基づいて、遅延時間を特定するステップは、
時間設定領域内の選択されたサブ領域を検出するステップと、
選択されたサブ領域に基づいて遅延時間を特定するステップと
を含む。
【０１０１】
一実施例において、時間設定領域内の選択されたサブ領域を検出した後に、
時間設定領域内の選択されたサブ領域と、選択されなかったサブ領域とを、区別して表示するステップ
をさらに含む。
【０１０２】
一実施例において、撮影インターフェイスは、カメラアイコンをさらに含み、
時間設定領域に基づいて遅延時間を特定するステップの後に、
遅延時間の時間値を撮影インターフェイス上のカメラアイコンの下方に表示するステップ
をさらに含む。
【０１０３】
一実施例において、遅延時間に基づいて撮影を行うステップは、
現在の時間を始点として遅延時間をカウントダウンして、カウントダウンが終了したタイミングに撮影を行うステップ
を含む。
【０１０４】
一実施例において、現在の時間を始点として遅延時間をカウントダウンするステップは、
表示する遅延時間の時間値、及び時間設定領域内の選択されたサブ領域の範囲を、カウントダウンが終了するまで、次第に縮小させるステップ
を含む。
【０１０５】
一実施例において、前記時間設定領域は、前記シャッタボタンの周囲を囲む環状の領域である。
一実施例において、時間設定領域内の選択されたサブ領域を検出するステップは、
環状の領域に対する回転タッチ操作を検出するステップと、
環状の領域に対する回転タッチ操作が検出された場合、検出された回転タッチ操作に基づいて環状の領域内の選択されたサブ領域を特定するステップと
を含む。
【０１０６】
本発明によって提供するコンピュータ読取り可能な非一時的な記録媒体によると、シャッタボタン及びシャッタボタンの周囲に位置する時間設定領域から構成されたシャッタ操作ウィジェットを少なくとも含む撮影インターフェイスを表示し、また、時間設定領域に基づいて遅延時間を特定し、さらに、遅延時間に基づいて撮影を行う。このようにすることにより、メニュー設定インターフェイスを利用する必要がなく、撮影インターフェイスを利用するだけで遅延撮影を実現することができるため、遅延撮影を実現する方法がもっと簡単になり、効率がもっと高くなった。
【０１０７】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１０８】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【０１０９】
本願は、出願番号が２０１４１０４００８１１.０であって、出願日が２０１４年８月１４日である中国特許出願に基づいて優先権を主張し、当該中国特許出願のすべての内容を援用する。
【手続補正４】
【補正対象書類名】図面
【補正対象項目名】図５
【補正方法】変更
【補正の内容】
【図５】
2016535543.tif 000011
【手続補正５】
【補正対象書類名】図面
【補正対象項目名】図６
【補正方法】変更
【補正の内容】
【図６】
2016535543.tif 000012
【国際調査報告】
2016535543.tif 000013
2016535543.tif 000014
2016535543.tif 000015
2016535543.tif 000016